(57)【要約】【課題】片手で挿し込むだけでメモ用紙を固定できる簡便なメモクリップを作成する。【解決手段】金具等に円筒形の弾力性の有するポリプロピレンチューブ、シリコンチューブ、アクリル樹脂又は、ゴムチューブ等の部材を取り付け、メモ用紙を挟み込み固定する、メモ用紙の薄い厚いにこだわらず、厚い封筒、重い封筒等を簡単に片手で固定、取り外しが出来、重い紙袋等も固定でき、この挟み込み固定する一連の機能を活用すると、コンクリート製品の側溝、Ｕ字溝等を吊り下げる金具が安価に出来る等の特徴がある。【選択図】図１
2006192873.tif 000002
【特許請求の範囲】
【請求項１】
弾力性、クッション性の有する円筒形部材を取り付ける支持部材の上端に、この支持部材の上下運動に追従稼動する、クッション性、弾力性の有する部材を設けた事を特徴とした請求項１のメモクリップ。
【発明の詳細な説明】
【技術分野】
【０００１】  本発明は、メモ、ハガキを挟み固定するメモクリップに関する。
【背景技術】
【０００２】  メモを挟み固定するメモクリップが市場に市販されている。【０００３】  バネを活用しメモを挟み固定するメモクリップの鰐口クリップ等がある。【０００４】  ゴム磁石を活用しメモを冷蔵庫のドア等に固定するメモクリップその他多種多様のメモクリップが有る。
これ等はそれなりに、メモクリップとしての活用に十分効果があった。【０００５】  しかし、これ等のクリップは、両手を使い使用するもので、片手だけでは使用が出来なかった。【０００６】  片手のみで、メモを固定出来るクリップが、市場に出ているが、メモ用紙を固定するには、それなりの効果が有るが、便箋、手紙等が入っている厚い封筒等は、挟み固定が出来ない欠点が有った。
【特許文献１】特願２００２−２１３１４４
【特許文献２】特願平１１−３０６６１９
【特許文献３】特願２００２−１１６８３９
【発明の開示】
【発明が解決しようとする課題】
【０００７】  片手で厚いメモ用紙、厚い封筒、重い袋等を挟み固定出来ない点にある。
【課題を解決しようとする課題】
【０００８】  本発明は、厚いメモ用紙、厚い封筒等から薄いメモ用紙まで対応出来る事を目的とし、メモ用紙両面をクッション性、弾力性の有する部材で挟み込み固定する事を主要な特徴とする。
【発明の効果】
【０００９】  本発明のメモクリップは、メモ用紙の厚さに応じて挟み込む挟み幅が広がる特徴が有り、メモ用紙両面を圧着固定が出来る特徴を有する。
【発明を実施する為の最良の形態】
【００１０】  メモ用紙の厚さに応じて挟み込む幅を変える為に、メモ用紙挟み込み固定部材であるクッション性、弾力性の部材（４）が、メモ用紙の厚さに応じて上部に押され部材（４）が広がりメモ用紙を挟み込む事が、最小の部品点数で実現し、メモ用紙の厚さに関係なく一定の力でメモ用紙を圧着固定出来る事が実現した。
【実施例１】
【００１１】  図１は、本発明のメモクリップ断面図で、弾力性、クッション性の有する円筒形部材（４）を取り付ける支持部材（５）の上端に、この支持部材の上下運動に追従稼動する、クッション性、弾力性の有する部材（６）を設けた断面図である。【００１２】  図２は、本発明のメモクリップの斜視図で有る。【００１３】  メモ用紙を、弾力性、クッション性の有する円筒形部材（４）内に押し込む図４である。【００１４】  メモ用紙の厚さに応じて、弾力性、クッション性の有する円筒形部材（４）が上部に押し上げられ、部材（４）がメモ用紙の厚さに広がり、メモ用紙を挟み込む図５、図６である。【００１５】  円筒形部材（４）を取り付ける支持部材（５）の上部に設けている弾力性、クッション性部材（６）がメモ用紙の厚さにより支持部材が押し上げられる運動に追従し縮む図５である。【００１６】  メモ用紙の厚さに応じて、弾力性、クッション性の有する円筒形部材（４）が上部に押し上げられ、部材（４）がメモ用紙の厚さに広がり、メモ用紙を挟み込む、支持部材（５）の上部に設けている弾力性、クッション性部材（６）がメモ用紙も厚さにより支持部材が押し上げられる運動に追従し縮む一連の機能を有する事を特徴としている。【００１７】  上記記述した一連の機能を有する事が出来れば、弾力性、クッション性の有する円筒形部材（４）が片面で、他方一面をクッション性、弾力性の有する板状部材（７）を用いてメモ用紙を挟み込む用にしても良い。【００１８】  上記記述した一連の機能を有する事が出来れば、弾力性、クッション性の有する円筒形部材（４）、上部に設けている弾力性、クッション性部材（６）は、どの様な材質の部材を用いても良い。【００１９】  メモ用紙を挟み込む部材（４）形状を、球状とし連ねても良い。【００２０】  弾力性、クッション性有する円筒形部材（４）を覆い挟み込む部材（１）は、プラスッチック等の弾力性の部材としても良い。【００２１】  円筒形部材（４）を覆い挟み込む部材（１）のプラスチックの弾力強度を大きく硬くする事により、重い紙袋を挟み込みができる特徴も備えている。【００２２】  弾力性、クッション性有する円筒形部材（４）材質は、ゴムチューブ、シリコンチューブ、アクリル系樹脂チューブ等とし、軟弱性を有する材質で紙プラスチック等に適度の粘着性があればより適している。【００２３】  円筒形部材（４）を取り付ける支持部材（５）は、鉄、ピアノ線等の適度の柔軟性を有する部材でメモ用紙を挟み引き剥き時に壊れない程度の支持強度、柔軟性を有すておれば、プラスチック等を用いても良い。【００２４】  支持部材（５）の上部に設けている弾力性、クッション性部材（６）の材質は、弾力性の有るスポンジ、発泡材としても良く支持部材（５）の伸縮運動に追従し得る部材であれば、ゴム材、シリコン発泡材質部材等を用いても良い。【００２５】  図３、円筒形部材（４）の径の大きさより、小さめな太さの支持部材（５）にする事により厚さの異なるメモ用紙を簡単に挟み込む事が出来る。【００２６】  円筒形部材（４）を覆う部材（１）の背面にメモクリップを固定する部材（２）を設ける。【００２６】  図４は、メモ用紙を円筒形部材（４）に挟み込む図。【００２７】  図５は、メモ用紙を円筒形部材（４）に押し込んだ図。
【産業上の利用可能性】
【００２８】  既存のメモクリップでは、挟み固定ができなかった厚手のメモ用紙、手紙等が入った厚い封筒、重い紙袋等の挟み込み固定が出来る様に成り、片手で操作が出来る為、他の応用分野に利用ができる。【００２９】  又、この上記記述した、挟み込み固定する一連の機能を活用すると、コンクリート製品の側溝、Ｕ字溝他の吊り下げ金具に応用できる。
【図面の簡単な説明】
【００３０】
【図１】メモクリップ断面図
【図２】メモクリップの斜視図
【図３】円筒形部材（４）拡大図
【図４】メモ用紙を円筒形部材（４）に挟み込む図。
【図５】メモ用紙を円筒形部材（４）に押し込んだ図。
【図６】メモ用紙をメモクリップにセットした実施例
【符号の説明】
【００３１】１  円筒形部材を覆う部材カバー
２  部材カバーを固定する部材
３  固定する部材の粘着テープ
４  弾力性、クッション性の有する円筒形部材
５  円筒形部材を取り付ける支持部材
６  支持部材の上下運動に追従稼動する、クッション性、弾力性の有する部材
【図１】
2006192873.tif 000003
【図２】
2006192873.tif 000004
【図３】
2006192873.tif 000005
【図４】
2006192873.tif 000006
【図５】
2006192873.tif 000007
【図６】
2006192873.tif 000008